(57)【要約】【課題】災害が発生したことによりエレベータを停止させた後に、建物内の在館者が建物外部に連絡をとることを可能にするエレベータシステムを提供する。【解決手段】実施形態によればエレベータシステムは、乗場通信機と制御装置とを備える。乗場通信機は、建物内の各階床のエレベータ乗場にそれぞれ設置され、当該建物外部の外部通信機と接続されている。制御装置は、災害の発生によりエレベータが管制運転に切り替わった後、当該建物内のいずれかの階床のエレベータ乗場に設置されたホールボタンが操作されると、乗場通信機と外部通信機との間の通信路を確立させる。【選択図】図２
2015020835.tif 000002
【特許請求の範囲】
【請求項１】
建物内に設置されたエレベータを管理するエレベータシステムにおいて、
当該建物内の各階床のエレベータ乗場にそれぞれ設置され、当該建物外部の外部通信機と接続された乗場通信機と、
災害の発生により前記エレベータが管制運転に切り替えた後、当該建物内のいずれかの階床のエレベータ乗場に設置されたホールボタンが操作されると、前記乗場通信機と前記外部通信機との間の通信路を確立させる制御装置と
を備えることを特徴とするエレベータシステム。
【請求項２】
前記制御装置は、管制運転に切り替えた後、“ホールボタンを操作すると該当階の乗場通信機にて前記外部通信機と通信可能になる”ことを報知するための情報を、前記各階床の乗場に設置された出力装置から出力させる
ことを特徴とする請求項１に記載のエレベータシステム。
【請求項３】
前記エレベータの乗りかご内には、当該建物外部の管理装置に接続されたカメラ装置が設置され、
前記制御装置は、前記乗場通信機と前記外部通信機との間の通信路を確立させた後、前記ホールボタンが操作された階床に前記乗りかごを着床させて戸開させ、前記カメラ装置により、前記乗りかご内から前記着床した階床のエレベータ乗場の方向を撮影した映像情報を、前記管理装置に送信する
ことを特徴とする請求項１または２に記載のエレベータシステム。
【発明の詳細な説明】
【技術分野】
【０００１】
本発明の実施形態は、エレベータシステムに関する。
【背景技術】
【０００２】
従来のエレベータシステムでは、建物内で災害が発生すると、乗りかご内の乗客を避難させるために管制運転に切り替えて運転制御を行う。
【０００３】
例えば火災発生時の管制運転では、乗りかごを最寄階に停止させ戸開することで、乗りかご内に乗客が閉じ込められることを防止する。
【０００４】
またピットに一定量の水が侵入した場合、エレベータを自動的に最上階に避難させ、かご下機器を水から守るようにする。
【先行技術文献】
【特許文献】
【０００５】
【特許文献１】特開２００７−１３１３６２号公報
【発明の概要】
【発明が解決しようとする課題】
【０００６】
上述したような管制運転では、乗りかご内の乗客を避難させるために戸開した後は、エレベータとしての機能は停止させる。しかし、エレベータが停止した後、逃げ遅れた人が建物内にいる場合、外部と連絡をとる手段がなく救助を要請することが困難になる場合ある。
【０００７】
本発明は上記事情に鑑みてなされたものであり、災害が発生したことによりエレベータを停止させた後に、建物内の在館者が建物外部と連絡をとることを可能にするエレベータシステムを提供することを目的とする。
【課題を解決するための手段】
【０００８】
上記目的を達成するための実施形態によればエレベータシステムは、乗場通信機と制御装置とを備える。乗場通信機は、建物内の各階床のエレベータ乗場にそれぞれ設置され、当該建物外部の外部通信機と接続されている。制御装置は、災害の発生によりエレベータが管制運転に切り替わった後、当該建物内のいずれかの階床のエレベータ乗場に設置されたホールボタンが操作されると、乗場通信機と外部通信機との間の通信路を確立させる。
【図面の簡単な説明】
【０００９】
【図１】一実施形態によるエレベータシステムの構成を示す全体図。
【図２】一実施形態によるエレベータシステムの構成を示すブロック図。
【図３】一実施形態によるエレベータシステムの乗場操作盤の構成を示す外観図。
【図４】一実施形態によるエレベータシステムの動作を示すフローチャート。
【発明を実施するための形態】
【００１０】
〈一実施形態によるエレベータシステムの構成〉
本発明の一実施形態によるエレベータシステムの構成について、図１および図２を参照して説明する。
【００１１】
本実施形態によるエレベータシステム１は、１階〜３階の階床を有する建物に設置されたエレベータ１０と、建物外部に設置され、当該エレベータシステム１の管理者により管理される外部管理装置２０とが接続されて構成されている。
【００１２】
エレベータ１０は、１階乗場に設置された乗場操作盤１１−１および液晶インジケータ１２−１、２階乗場に設置された乗場操作盤１１−２および液晶インジケータ１２−２、および、３階乗場の設置された乗場操作盤１１−３および液晶インジケータ１２−３と、昇降路内を移動する乗りかご１３と、乗りかご１３を昇降させるモータ１４と、制御盤１５とを有する。
【００１３】
乗場操作盤１１−１〜１１−３は、図３に示すように、それぞれホールボタン１１１−１〜１１１−３と、乗場通信機１１２−１〜１１２−３とを有する。
【００１４】
液晶インジケータ１２−１〜１２−３は、乗りかご１３の現在位置情報や、エレベータ乗場にいる在館者に報知するテキスト情報等を表示する。
【００１５】
乗りかご１３には、かご扉と対面する壁面の上部に、かご内からエレベータ乗場の方向を撮影するかご内カメラ装置１３１が設置されている。このかご内カメラ装置１３１は、制御盤１５に接続されている。
【００１６】
制御盤１５は、ホールボタン１１１−１〜１１１−３、乗場通信機１１２−１〜１１２−３、液晶インジケータ１２−１〜１２−３、乗りかご１３、および外部管理装置２０に接続され、通常運転制御部１５１と、災害発生検知部１５２と、管制運転制御部１５３とを有する。
【００１７】
通常運転制御部１５１は、通常運転時にホールボタン１１１−１〜１１１−３の操作に基づいてモータ１４の駆動による乗りかご１３の昇降制御や、液晶インジケータ１２−１〜１２−３の表示制御を行う。
【００１８】
災害発生検知部１５２は、建物内に設置されたセンサ（図示せず）から送信された信号に基づいて、建物内で発生した災害を検知する。
【００１９】
管制運転制御部１５３は、災害発生検知部１５２で災害発生が検知されると、予め設定された制御内容で管制運転を開始するとともに、各ホールボタン１１１−１〜１１１−３を、非常ボタンとして機能させるよう切り替える。
【００２０】
外部管理装置２０は、乗場通信機１１２−１〜１１２−３との間で通信可能な状態で接続された外部通信機２１と、かご内カメラ装置１３１で撮影された映像情報を表示する表示装置１３２とを有する。
【００２１】
乗場通信機１１２−１〜１１２−３と外部通信機２１とは、例えばインターフォンであり、通信路が確立されることにより双方向に通話可能な状態となる。
【００２２】
〈一実施形態によるエレベータシステムの動作〉
次に、建物内で災害が発生したときのエレベータシステム１の動作について、図４のフローチャートを参照して説明する。
【００２３】
エレベータ１０の制御盤１５の通常運転制御部１５１によりエレベータ１０が通常運転されているときに、建物内で災害が発生すると、建物内に設置されたセンサから異常事態を通知する信号が制御盤１５に送信される。異常事態を通知する信号とは例えば、煙センサで煙が検知されたときや、温度センサにおいて所定値以上の温度が計測されたとき、または、浸水センサにおいて浸水が検知されたときに発信される信号である。
【００２４】
これらのうちいずれかのセンサから異常事態を通知する信号が発信されると、制御盤１５の災害発生検知部１５２において災害発生が検知される（Ｓ１）。例えば、煙センサや温度センサから発信された信号に基づいて火災発生が検知され、浸水センサから発信された信号に基づいて水害が検知される。
【００２５】
災害発生検知部１５２において災害発生が検知されると、当該エレベータ１０の運転制御が通常運転制御部１５１による制御から管制運転制御部１５３による制御に切り替えられる（Ｓ２）。
【００２６】
管制運転制御部１５３による制御に切り替えられると、まず、既に登録されたエレベータ呼びが全てキャンセルされ、乗りかご１３が予め設定された階床に着床するようにモータ１４が制御される（Ｓ３）。例えば、火災発生により管制運転に切り替えられたときには最寄階に着床するように制御され、水害により管制運転に切り替えられたときには最上階に着床するように制御される。
【００２７】
乗りかご１３が設定された階床に着床すると戸開され、乗りかご１３内に乗客が閉じ込められる事態が回避される。
【００２８】
次に管制運転制御部１５３により、各ホールボタン１１１−１〜１１１−３が非常ボタンとして機能するよう切り替えられるとともに、「ホールボタンを操作すると乗場通信機１１２−１〜１１２−３にて外部と通信できる」ことを示す音声アナウンス情報およびテキスト表示情報が生成される。生成された音声アナウンス情報は各階床の乗場通信機１１２−１〜１１２−３から出力され、また、テキスト表示情報は各階床の液晶インジケータ１２−１〜１２−３から出力される（Ｓ４）。
【００２９】
当該音声アナウンス情報およびテキスト表示情報が出力されたことにより、エレベータホールにいる在館者がいずれかのホールボタン１１１−１〜１１１−３を操作すると、当該操作が管制運転制御部１５３で検知される（Ｓ５）。ここでは、３階のホールボタン１１１−３が操作されたものとする。
【００３０】
ホールボタン１１１−３が操作されたことが検知されると、管制運転制御部１５３により、当該操作情報が外部管理装置２０に通知される。当該通知に対し、管理者により外部通信機２１において応答操作が行われると、当該乗場通信機１１２−３と外部通信機２１との間で通信路が確立され、通話可能な状態になる（Ｓ６）。
【００３１】
乗場通信機１１２−３と外部管理装置２０とが通信可能な状態となったことにより、３階のエレベータ乗場にいる在館者は、外部管理装置２０の管理者に対し救助を求めることができる。
【００３２】
次に、ホールボタン１１１−３が操作された３階に乗りかご１３が着床されて戸開され（Ｓ７）、乗りかご１３内のかご内カメラ装置１３１により、かご内から３階のエレベータ乗場方向が撮影される。撮影により生成された映像情報は、管制運転制御部１５３により外部管理装置２０に送信される（Ｓ８）。
【００３３】
外部管理装置２０では、受信された映像情報が表示装置２２に表示され、管理者により乗りかご１３内および当該階のエレベータ乗場の状況が監視可能になる。
【００３４】
以上の本実施形態によれば、災害発生によりエレベータが管制運転に切り替わった後に、建物内の在館者が建物外部の管理者と連絡をとることができるようになり、建物内から救助を要請することが可能になる。
【００３５】
また、災害発生後にホールボタンが操作された階で乗りかごを戸開させ、乗りかご内およびエレベータ乗場をかご内カメラ装置で撮影した映像情報を外部管理装置で監視することにより、在館者の有無を確認することができ、また、災害状況に応じて救助に向かう経路を決定するための支援をすることができる。
【００３６】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３７】
１…エレベータシステム
１０…エレベータ
１１−１１〜１１−３…乗場操作盤
１２−１〜１２−３…液晶インジケータ
１３…乗りかご
１４…モータ
１５…制御盤
２０…外部管理装置
２１…外部通信機
２２…表示装置
１１１−１〜１１１−３…ホールボタン
１１２−１〜１１２−３…乗場通信機
１３１…かご内カメラ装置
１３２…表示装置
１５１…通常運転制御部
１５２…災害発生検知部
１５３…管制運転制御部
【図１】
2015020835.tif 000003
【図２】
2015020835.tif 000004
【図３】
2015020835.tif 000005
【図４】
2015020835.tif 000006
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
建物内に設置されたエレベータを管理するエレベータシステムにおいて、
当該建物内の各階床のエレベータ乗場にそれぞれ設置され、当該建物外部の外部通信機と接続された乗場通信機と、
災害の発生により前記エレベータを管制運転に切り替えた後、当該建物内のいずれかの階床のエレベータ乗場に設置されたホールボタンが操作されると、前記ホールボタンが操作された階床の乗場通信機と前記外部通信機との間の通信路を確立させるとともに、前記ホールボタンが操作された階床に前記エレベータの乗りかごを着床させて戸開させ、前記乗りかご内に設置されたカメラ装置により、前記乗りかご内から前記着床した階床のエレベータ乗場の方向を撮影した映像情報を、当該建物外部の管理装置に送信する制御装置と
を備えることを特徴とするエレベータシステム。
【請求項２】
前記制御装置は、管制運転に切り替えた後、“ホールボタンを操作すると該当階の乗場通信機にて前記外部通信機と通信可能になる”ことを報知するための情報を、前記各階床の乗場に設置された出力装置から出力させる
ことを特徴とする請求項１に記載のエレベータシステム。
【手続補正２】
【補正対象書類名】明細書
【補正対象項目名】０００８
【補正方法】変更
【補正の内容】
【０００８】
上記目的を達成するための実施形態によればエレベータシステムは、乗場通信機と制御装置とを備える。乗場通信機は、建物内の各階床のエレベータ乗場にそれぞれ設置され、当該建物外部の外部通信機と接続されている。制御装置は、災害の発生によりエレベータが管制運転に切り替わった後、当該建物内のいずれかの階床のエレベータ乗場に設置されたホールボタンが操作されると、ホールボタンが操作された階床の乗場通信機と外部通信機との間の通信路を確立させるとともに、ホールボタンが操作された階床にエレベータの乗りかごを着床させて戸開させ、乗りかご内のカメラ装置により、乗りかご内から着床した階床のエレベータ乗場の方向を撮影した映像情報を、建物外部の管理装置に送信する。